(57)【要約】【課題】布団圧縮収納ケースの提供。【解決手段】内部に品物を圧縮・収納できる収納空間を有し、この空間の密閉のために一側に付いているスライドファスナー２を有する圧縮収納袋１と；該圧縮収納袋１の一側内外部に一体装着されて、袋内の空気を外部に排出させる一方、外部から流入する空気を自動に遮断する空気排出口が形成された空気吸引補助機３と；から構成する。これによれば、圧縮収納袋内の空気を真空清掃機などの空気吸引装置を用いて吸引する場合、吸引される空気の一部が再び圧縮収納袋内に流入されないので吸引率が高まり、より短時間で布団を圧縮できるだけでなく、低電力でも圧縮可能になる効果がある。【選択図】図１
0003098986.tif 000002
【実用新案登録請求の範囲】
【請求項１】
品物を圧縮・収納できる収納空間を有し、この空間の密閉のために一側に付いているスライドファスナーを有する圧縮収納袋と；
該圧縮収納袋の一側内外部に一体装着されて、袋内の空気を外部に排出させる一方、外部から流入する空気を自動に遮断する空気排出口が形成された空気吸引補助機と；から構成されたことを特徴とする布団圧縮収納ケース。
【請求項２】
前記空気吸引補助機は、
前記圧縮収納袋の内面一側に密着固定される一方、上部には吸引機固定板が結合されて、前記圧縮収納袋内の空気が排出されるように空気流れ部を形成する吸引機支持板と；
空気吸引装置が前記圧縮収納袋内の空気を吸引できるようにその吸込口が密着されるとともに、前記吸引機支持板に結合されて前記空気流れ部に延長される空気流れ部を形成する吸引機固定板と；
前記空気流れ部に嵌着されて、空気の流れにより前記圧縮収納袋内の空気を外部に排出させるように前記吸引機固定板に密着される一方、外部から流入される空気を遮断する場合には前記吸引機支持板に密着される空気調節板と；
から構成されたことを特徴とする請求項１に記載の布団圧縮収納ケース。
【請求項３】
前記吸引機支持板は、前記圧縮収納袋内に円板形状の第１支持板の上部面が密着され、上部が開放された円筒形状を持ち、上部円周に沿って結合穴を備えた固定突起が前記第１支持板の中央に形成されて前記圧縮収納袋に突出・貫通され、前記固定突起の下面中央には前記固定突起より小さい、上部が開放された円筒形状の空気排出突起が貫通・突出されており、前記空気排出突起の円筒下部には円周面に沿って同一大きさの第１空気排出穴が多数個形成され、前記空気排出突起の第１空気排出穴の間には前記第１支持板の下部底面に延長される支持軸および支持面が形成されて、前記圧縮収納袋および吸引機固定板に固定されることを特徴とする請求項２に記載の布団圧縮収納ケース。
【請求項４】
前記吸引機固定板は、上部が開放された円筒形状を持ち、上部円周に沿って突起が形成された管突起と、前記吸引機支持板が締結可能になるように前記管突起下部の円周内面と外面に沿って各々延設されて第１支持面と第２支持面が形成され、それらの間に支持穴が形成され、前記第２支持面の内部円周面に沿って前記結合穴に対応する結合突起が形成される一方、前記第１支持面の下部円周面に沿って一定大きさの第２空気排出穴が多数個形成され、内周面の内側には連結軸により板リング状の固定板支持部が中央に形成されて、前記吸引機支持板との締結時、空気の流れにより前記空気調節板が上下に流動できるように空気流れ部を形成し、前記第２支持面の下部外周面に沿って円板形状の第２支持板が形成されて、空気吸引装置を固定させることを特徴とする請求項２に記載の布団圧縮収納ケース。
【請求項５】
前記空気調節板は、板状となっており、空気排出時には吸引機固定板内の空気流れ部に位置し、外部から流入される空気を遮断するときには前記吸引機支持板内の空気流れ部に位置する遮蔽部と、前記遮蔽部から空気流れ部の径まで、一定間隔を置いて多数個形成された固定部と、を備え、前記排出口内部に嵌着されて前記圧縮収納袋への出入空気の流れを制御することを特徴とする請求項２に記載の布団圧縮収納ケース。
【請求項６】
前記空気流れ部は、前記吸引機支持板に形成された第１空気排出穴と、前記吸引機固定板に形成されて前記第１空気排出穴から流入される空気を外部に流出させるための第１次経路を提供する、前記吸引機固定板に形成された第２空気流れ部と、前記吸引機固定板内の第１支持面に延長された連結軸と固定板支持部との間に多数個形成されて前記第１空気排出穴から流入される空気を外部に流出させるための第２次経路を提供する第３空気流れ部と、前記固定板支持部の内部の開放された部分と前記空気調節板の遮断部との間に多数個形成されて前記第１空気排出穴から流入される空気を外部に流出させるための第３次経路を提供する第４空気流れ部と、から構成されたことを特徴とする請求項２に記載の布団圧縮収納ケース。
【請求項７】
前記吸引機支持板と吸引機固定板はワンタッチ方式で着脱されることを特徴とする請求項２に記載の布団圧縮収納ケース。
【考案の詳細な説明】
【０００１】
【考案の属する技術分野】
本考案は、布団圧縮収納ケースに係り、さらに詳細には、布団の入っている圧縮収納袋内の空気を高速に抜取って布団の体積を減し、かつ、外部からの空気流入を自動遮断・密閉可能にして湿気および好気性細菌から布団を保護できるようにした布団圧縮収納ケースに関する。
【０００２】
【従来の技術】
一般に、布団の内部には保温材として綿、羊毛、鵞鳥の毛、化学綿、または合成繊維などの中身が入っているが、体積が大きくて嵩張り運搬・保管などの取り扱いが不便となり、かつ、高温多湿な環境では湿ってかび類などの侵入により生地が損傷され、悪臭がするなど品質保存に困難が多かった。
そこで、布団などの寝具類に内在してある空気を抜取って体積を減らし、運搬・保管上の使い勝手をよくする圧縮パックが工夫されるに到った。
【０００３】
従来の圧縮パックは、ポリエチレンからなる袋の形となっており、開封部にはスライドファスナーが付けてある。したがって、保管する布団を前記圧縮パックに入れた後、スライドファスナーを一定の長さほど残した後、真空掃除機の吸引口を圧縮パックに入れた状態で圧縮パックおよび布団内の空気を吸引して布団を圧縮させ、そのスライドファスナーを手動にて完全に閉じると布団の体積が最小となるので、狭い場所にも容易に保管可能であり、また、圧縮パック内部の真空状態が保たれて布団などを好気性細菌から保護可能であった。
【０００４】
しかし、従来の圧縮パックは、スライドファスナーを一定の長さほど残した状態で真空掃除機の入口を圧縮パックに入れるので、それらの間には隙間ができて圧縮時の吸引速度が劣るだけでなく、空気漏れを避けるために掃除機の入口が入ったスライドファスナーを人為的に固定しなければならない不便があった。しかも、圧縮パックを完全に圧縮した後にも掃除機を圧縮パックから取り出すと同時にスライドファスナーを人為的に密着させなければならないため、面倒だった。
【０００５】
【考案が解決しようとする課題】
したがって、本考案は、上記の従来の問題点に鑑みてなされたものであり、その目的は、圧縮収納袋内の空気を効率よく吸引できるようにする一方、圧縮された状態で人為的な作業を加えなくても外部の空気が内部に流入されない布団圧縮収納ケースを提供することにある。
【０００６】
本考案の他の目的は、分厚い中身を入れて作った寝具類を圧縮させて体積を減らし、密閉された状態で保管可能にするための布団圧縮収納ケースを提供することにある。
【０００７】
【課題を解決するための手段】
上記の目的を達成するために、本考案に係る布団圧縮収納ケースは、内部に品物を圧縮・収納できる収納空間を有し、この空間の密閉のために一側に付いているスライドファスナーを有する圧縮収納袋と；該圧縮収納袋の一側内外部に一体装着されて、袋内の空気を外部に排出させる一方、外部から流入する空気を自動に遮断する空気排出口が形成された空気吸引補助機と；から構成されたことを特徴とする。
【０００８】
【考案の構成】
以下、本考案の一実施例による布団圧縮収納ケースを、添付図面を参照しつつ詳細に説明する。
図１は、本考案の一実施例による布団圧縮収納ケースの斜視図であり、本考案の一実施例による布団圧縮収納ケースは、スライドファスナー２が付いている圧縮収納袋１および空気吸引補助機３から構成されている。
前記圧縮収納袋１は、内部に品物を圧縮・保管する収納空間を有し、この空間の密閉のために一側にはスライドファスナー２が付いている。
【０００９】
また、前記空気吸引補助機３は、図２ないし図４ｃに示すように、前記圧縮収納袋１の内面一側に密着固定される一方、上部には吸引機固定板３３が結合されて、前記圧縮収納袋１内部の空気が排出されるように空気流れ部３３４を形成する吸引機支持板３１と；空気吸引装置１０が前記圧縮収納袋１内の空気を吸引できるように前記空気吸引装置１０の吸込口と密着されるとともに、前記吸引機支持板３１に結合されて前記空気流れ部３３４に延長される空気流れ部３３４を形成する吸引機固定板３３と；前記空気流れ部３３４に嵌着されて、空気の流れにより前記圧縮収納袋１内の空気を外部に排出させるように前記吸引機固定板３３に密着される一方、外部から流入される空気を遮断する場合には前記吸引機支持板３１に密着されて空気の流れを調節する空気調節板３２と；から構成される。ここで、前記空気流れ部３３４は、図８に示すように、前記吸引機支持板３１に形成された第１空気排出穴３１３１と、前記吸引機固定板３３に形成されて前記第１空気排出穴３１３１から流入される空気を外部に流出させるための第１次経路を提供する第２空気流れ部３３１１１と、前記吸引機固定板３３内の第１支持面３３１１に延長された連結軸３３１１２と固定板支持部３３２との間に多数個形成されて前記第１空気排出穴３１３１から流入される空気を外部に流出させるための第２次経路を提供する第３空気流れ部３３１１３と、前記固定板支持部３３２の内部の開放された部分と前記空気調節板３２の遮断部との間に多数個形成されて前記第１空気排出穴３１３１から流入される空気を外部に流出させるための第３次経路を提供する第４空気流れ部３３１１４と、で構成されて、空気が円滑に流れるようにし、且つ効率よく流出されるようにする。
【００１０】
前記空気吸引補助機３の吸引機支持板３１は、図３および図４ａに示すように、前記圧縮収納袋１内部に円板形状の第１支持板３１１の上部面が密着され、上部が開放された円筒形状を持ち、上端円周に沿って結合穴３１２１を備えた固定突起３１２が前記第１支持板３１１の中央に形成されて前記圧縮収納袋１に突出・貫通され、前記固定突起３１２の下面中央には前記固定突起３１２より小さい、上部が開放された円筒形状の空気排出突起３１３が貫通・突出されており、前記空気排出突起３１３の円筒下部には円周面に沿って同一大きさの第１空気排出穴３１３１が多数個形成され、前記空気排出突起３１３の第１空気排出穴３１３１の間には前記第１支持板３１１の下部底面に延長される支持軸３１４および支持面が形成されて、前記圧縮収納袋１および吸引機固定板３３に固定される。
【００１１】
また、前記空気吸引補助機３の空気調節板３２は、図３および図４ｂに示すように、板状となっており、空気排出時には吸引機固定板３３内の空気流れ部３３４に位置し、外部から流入される空気を遮断するときには前記吸引機支持板３１内の空気流れ部３３４に位置する遮蔽部３２１と、前記遮蔽部３２１から空気流れ部３３４の径まで、一定間隔を置いて多数個形成された固定部３２２と、を備え、前記排出口内部に嵌着されて前記圧縮収納袋１への出入空気の流れを制御する。
【００１２】
そして、前記空気吸引補助機３の吸引機固定板３３は、図３および図４ｃに示すように、上部が開放された円筒形状を持ち、円周に沿って突起が形成された管突起３３１と、前記吸引機支持板３１が締結可能となるように前記管突起３３１下部の円周内面と外面に沿って各々延設されて第１支持面３３１１と第２支持面３３１２が形成され、それらの間に支持穴３３３が形成され、前記第２支持面３３１２の内部円周面に沿って前記結合穴３１２１に対応する結合突起３３１３が形成される一方、前記第１支持面３３１１の下部円周面に沿って一定大きさの第２空気排出穴３３１１１が多数個形成され、内周面の内側には連結軸３３１１２により板リング状の固定板支持部３３２が中央に形成されて、前記吸引機支持板３１との締結時、空気の流れにより前記空気調節板３２が上下に流動できるように空気流れ部３３４を形成し、前記第２支持面３３１２の下部外周面に沿って円板形状の第２支持板３３５が形成されて空気吸引装置１０を固定させる。
【００１３】
このような構成を有する布団圧縮収納ケースの動作過程を図５ないし図７を参照して説明すると、下記の通りである。
まず、前記圧縮収納袋１の内部一側に密着された吸引機支持板３１に空気調節板３２を嵌着させた後、吸引機固定板３３を結合させる。すなわち、空気吸引補助機３を前記圧縮収納袋１に結合させると、前記吸引機支持板３１と吸引機固定板３３が結合穴３１２１と結合突起３３１３を通じてワンタッチ方式で結合される。このような結合方法は単に本考案の一実施例に過ぎなく、他の方式でも結合可能である。
【００１４】
このように、前記吸引機支持板３１、空気調節板３２および吸引機固定板３３が結合された前記空気吸引補助機３は、前記圧縮収納袋１内の空気を外部に排出可能にするよう空気流れ部３３４が形成され、前記空気流れ部３３４内には前記空気調節板３２が嵌着されるが、空気の流れにより前記吸引機固定板３３側に位置したり吸引機支持板３１側に位置したりする。
【００１５】
次いで、前記圧縮収納袋１の一側に付いている前記スライドファスナー２を開いて布団１００を入れた後、前記スライドファスナー２を閉じて前記圧縮収納袋１を密閉させる。
【００１６】
この後、図５に示すように、前記空気吸引装置（例えば、真空清掃機）１０を前記空気吸引補助機３に結合させた後、前記空気吸引装置１０を動作させて前記圧縮収納袋１内の空気を吸引（圧縮）する。
この時、前記空気吸引装置１０の空気圧により前記空気流れ部３３４内に嵌着された前記空気調節板３２は前記吸引機固定板３３側に位置することになる。つまり、前記空気調節板３２は、図６に示すように、前記吸引機固定板３３内の固定板支持部３３２に位置し、空気の流れは‘ａ’のような経路を通じて前記空気吸引装置１０に排出される。
【００１７】
このような動作によって前記圧縮収納袋１が完全に圧縮されると、前記空気吸引装置１０を空気吸引補助機３から取り外す。
すると、前記空気調節板３２は、図７に示すように、前記吸引機固定板３３内の固定板支持部３３２から前記吸引機支持板３１内の空気排出突起３１３に移動位置し、これにより外部から流入する空気は遮断される。前記空気調節板３２はシリコンで作製され、前記圧縮収納袋１が圧縮されている場合、空気圧により前記空気排出突起３１３に遮蔽部３２１が密着されて外部空気の流入を遮断する。この時、外部に流出される空気は前記第１空気排出穴３１３１から、第１次経路を提供する第２空気流れ部３３１１１と、第２次経路を提供する第３空気流れ部３３１１３と、第３次経路を提供する第４空気流れ部３３１１５といった三つの経路を通じて流出される。
【００１８】
なお、ここには図示しなかったが、布団を収容した前記圧縮収納袋１が圧縮されるとゴムキャップを管突起の上部に位置した突起に結合させてビニルの損傷を防止する。
一方、前記圧縮収納袋１は、内部に抗菌・殺菌剤を塗布して収納された布団を抗菌または殺菌させてもよく、花模様などをその内部または外部にプリントしてもいい。
【００１９】
【考案の効果】
上述の如く、本考案に係る布団圧縮収納ケースによれば、圧縮収納袋内の空気を真空清掃機などの空気吸引装置を用いて吸引する場合、吸引される空気の一部が再び圧縮収納袋内に流入されないので吸引率が高まり、より短時間で布団を圧縮できるだけでなく、空気吸引装置を用いて圧縮する時さらに低電力で済むので電力節減の効果もある。
また、布団や衣類などを真空状態に圧縮・収納可能なので、かびや細菌から保護することができる。
【図面の簡単な説明】
【図１】本考案の一実施例に係る布団圧縮収納ケースの細部構成を示す図。
【図２】図１の布団圧縮収納ケースにおける空気吸引補助機の構成を示す分解斜視図。
【図３】図１の布団圧縮収納ケースにおける空気吸引補助機の構成を示す分解断面図。
【図４ａ】図２に示した空気吸引補助機の吸引機支持板を示す平面図。
【図４ｂ】図２に示した空気吸引補助機の空気調節板を示す平面図。
【図４ｃ】図２に示した空気吸引補助機の吸引機固定板を示す平面図。
【図５】図１に示した布団圧縮収納ケースの使用状態を示す図。
【図６】図１に示した布団圧縮収納ケースの使用時、空気が圧縮された状態における空気吸引補助機の断面図。
【図７】図１に示した布団圧縮収納ケースの使用時、空気が圧縮されなかった状態における空気吸引補助機の断面図。
【図８】図１に示した布団圧縮収納ケースの使用に際して空気を流出させるための多数個の経路を示す図。
【符号の説明】
１：圧縮収納袋
２：スライドファスナー
３：空気吸引補助機
３１：吸引機支持板
３２：空気調節板
３３：吸引機固定板
３１１：第１支持板
３１２：固定突起
３１３：空気排出突起
３１４：支持軸
３２１：遮蔽部
３２２：固定部
３３１：管突起
３３２：固定板支持部
３３４：空気流れ部
３３５：第２支持板
３１３１：第１空気排出穴
３３１１：第１支持面
３３１２：第２支持面
３３１３：結合突起
３３１１１：第２空気排出穴
３３１１２：連結軸
【図１】
0003098986.tif 000003
【図２】
0003098986.tif 000004
【図３】
0003098986.tif 000005
【図４ａ】
0003098986.tif 000006
【図４ｂ】
0003098986.tif 000007
【図４ｃ】
0003098986.tif 000008
【図５】
0003098986.tif 000009
【図６】
0003098986.tif 000010
【図７】
0003098986.tif 000011
【図８】
0003098986.tif 000012